(57)【要約】      （修正有）【課題】木材表面等の研磨に用いる市販のサンダーに鏝板を装着して振動鏝を形成する場合において、サンダーに対して位置ずれすることなく、確実に保持される鏝板およびそれを用いた振動鏝を提供する。【解決手段】打設したコンクリートやモルタルの表面に押し当てられる鏝板本体２と、鏝板本体２に固定されており、サンダーの振動板を収容して位置決めする収容枠体３と、鏝板本体２に連結されてサンダーの本体部を抱えるように拘束する拘束具４と、を備えてなり、振動板と本体部の相対動きを許容する可動性を有する。【選択図】図１
0003227278.tif 000002
【実用新案登録請求の範囲】
【請求項１】
打設したコンクリートやモルタルの表面に押し当てられる鏝板本体（２）と、
前記鏝板本体（２）に設けられており、サンダー（Ｓ）の振動板（Ｖ）を収容して位置決めする収容枠体（３）と、
前記鏝板本体（２）に連結されてサンダー（Ｓ）の本体部（Ｂ）を抱えるように拘束する拘束具（４）と、を備えてなり、
前記振動板（Ｖ）の振動による前記振動板（Ｖ）と前記本体部（Ｂ）の相対動きを許容する可動性を有することを特徴とする鏝板。
【請求項２】
打設したコンクリートやモルタルの表面に押し当てられる鏝板本体（２）と、
前記鏝板本体（２）に固定されており、サンダー（Ｓ）の振動板（Ｖ）を収容して位置決めする収容枠体（３）と、
前記鏝板本体（２）に両端を連結されてサンダー（Ｓ）の本体部（Ｂ）を抱えるように拘束する帯板状の拘束具（４）と、を備えてなり、
前記拘束具（４）は前記本体部（Ｂ）の上面に接し、側面との間に隙間を有する状態で、前記本体部（Ｂ）を抱えることを特徴とする鏝板。
【請求項３】
打設したコンクリートやモルタルの表面に押し当てられる鏝板本体（２）と、
前記鏝板本体（２）に固定されており、サンダー（Ｓ）の振動板（Ｖ）を収容して位置決めする収容枠体（３）と、
前記鏝板本体（２）に連結されてサンダー（Ｓ）の本体部（Ｂ）を抱えるように拘束する拘束具（４）と、を備えてなり、
前記拘束具（４）は、柔軟性を有する材料で形成されていることを特徴とする鏝板。
【請求項４】
鏝板本体（２）の押し当て面（２ｂ）において、その内側から縁部に向かって丸められた傾斜を有することを特徴とする請求項１乃至３の何れかに記載の鏝板。
【請求項５】
請求項１乃至４の何れかに記載の鏝板をサンダー（Ｓ）に装着してなることを特徴とする振動鏝。
【考案の詳細な説明】
【技術分野】
【０００１】
本考案は、サンダーに装着して振動鏝を形成するための鏝板およびそれを用いた振動鏝に関する。
【背景技術】
【０００２】
従来、木材表面等の研磨に用いる市販のサンダーに鏝板を装着することにより振動鏝を形成し、打設したコンクリートの表面をならして表面仕上げすることが提案されている。サンダーに鏝板を固定する手段としては、鏝板側にフック金具を設け、サンダー側の研磨紙を挟む部分に差し込むもの（例えば、特許文献１参照。）や、鏝板側に面ファスナーを接着し、サンダー側にクリップで留めた面ファスナーに固定するもの（例えば、特許文献２参照。）が提案されている。
【先行技術文献】
【特許文献】
【０００３】
【特許文献１】特開２００６−１３０８９６号公報
【特許文献２】特許５３５６５４６号公報
【考案の概要】
【考案が解決しようとする課題】
【０００４】
コンクリートの表面仕上げをする際は表面が固まり始めるため、鏝板を強めの力で押し当てないと、内部のノロが浮いてこず、仕上げ品質を良くすることができない。しかし、硬いコンクリート表面に鏝板を強く押し当てると、鏝板の動きに対して大きな抵抗力が発生する。これは木材表面等の研磨仕上げに比べると、相当負荷が大きい。
【０００５】
これに対して、上記従来の振動鏝は、研磨紙を挟む部分にフック金具を差し込んだり、面ファスナーで固定したりするだけであるから、振動板に対して鏝板が位置ずれし易い。そのため、作業途中に鏝板の位置ずれが大きくなり、時々作業を中断して鏝板を振動板に装着し直す必要がある。また、鏝板は研磨紙に比べると相当重いため、上記のような固定方法では、例えば作業対象となる場所を変えるために少し持ち上げた程度でも外れて落下するおそれがある。
【０００６】
本考案は、上記の事情を考慮して、木材表面等の研磨に用いる市販のサンダーに鏝板を装着して振動鏝を形成する場合において、サンダーに対して位置ずれすることなく、すぐに脱落することのない鏝板およびそれを用いた振動鏝を提案するものである。
【課題を解決するための手段】
【０００７】
請求項１の考案は、打設したコンクリートやモルタルの表面に押し当てられる鏝板本体（２）と、前記鏝板本体（２）に設けられており、サンダー（Ｓ）の振動板（Ｖ）を収容して位置決めする収容枠体（３）と、前記鏝板本体（２）に連結されてサンダー（Ｓ）の本体部（Ｂ）を抱えるように拘束する拘束具（４）と、を備えてなり、前記振動板（Ｖ）の振動による前記振動板（Ｖ）と前記本体部（Ｂ）の相対動きを許容する可動性を有することを特徴とする鏝板を提供する。
【０００８】
請求項２の考案は、打設したコンクリートやモルタルの表面に押し当てられる鏝板本体（２）と、前記鏝板本体（２）に固定されており、サンダー（Ｓ）の振動板（Ｖ）を収容して位置決めする収容枠体（３）と、前記鏝板本体（２）に両端を連結されてサンダー（Ｓ）の本体部（Ｂ）を抱えるように拘束する帯板状の拘束具（４）と、を備えてなり、前記拘束具（４）は前記本体部（Ｂ）の上面に接し、側面との間に隙間を有する状態で、前記本体部（Ｂ）を抱えることを特徴とする鏝板を提供する。
【０００９】
請求項３の考案は、打設したコンクリートやモルタルの表面に押し当てられる鏝板本体（２）と、前記鏝板本体（２）に固定されており、サンダー（Ｓ）の振動板（Ｖ）を収容して位置決めする収容枠体（３）と、前記鏝板本体（２）に連結されてサンダー（Ｓ）の本体部（Ｂ）を抱えるように拘束する拘束具（４）と、を備えてなり、前記拘束具（４）は、柔軟性を有する材料で形成されていることを特徴とする鏝板を提供する。
【００１０】
請求項４の考案は、鏝板本体（２）の押し当て面（２ｂ）において、その内側から縁部に向かって丸められた傾斜を有することを特徴とする請求項１乃至３の何れかに記載の鏝板を提供する。
【００１１】
請求項５の考案は、請求項１乃至４の何れかに記載の鏝板をサンダー（Ｓ）に装着してなることを特徴とする振動鏝を提供する。
【考案の効果】
【００１２】
請求項１の考案によれば、以下の優れた効果を奏し得る。鏝板は、振動板（Ｖ）を収容枠体（３）で位置決めし、かつ、本体部（Ｍ）を拘束具（４）で抱くように拘束することで、表面仕上げの作業中にサンダー（Ｓ）に対して位置ずれしたり、サンダー（Ｓ）を持ち上げたときに脱落したりすることが防止される。また、拘束具（４）がサンダー（Ｓ）の本体部（Ｍ）を抱くように拘束しているが、サンダー（Ｓ）の本体部（Ｍ）と振動板（Ｖ）の相対動きが許容されているため、鏝板本体（２）が振動可能となり、打設したコンクリートやモルタルの表面仕上げ処理を行うことができる。
【００１３】
請求項２の考案によれば、以下の優れた効果を奏し得る。帯板状の拘束具（４）は、サンダー（Ｓ）の本体部（Ｍ）を抱くように拘束するが、本体部（Ｂ）の側面との間に隙間があるため、振動板（Ｖ）の振動により撓み変形可能であり、鏝板本体（２）が振動可能となり、打設したコンクリートやモルタルの表面仕上げ処理を行うことができる。また、請求項１の考案と同様、サンダー（Ｓ）に対する位置ずれやサンダー（Ｓ）からの脱落が防止される。
【００１４】
請求項３の考案によれば、以下の優れた効果を奏し得る。拘束具（４）は、サンダー（Ｓ）の本体部（Ｍ）を抱くように拘束するが、柔軟性を有する材料で形成されているため、鏝板本体（２）が振動可能となり、打設したコンクリートやモルタルの表面仕上げ処理を行うことができる。請求項１又は２の考案と同様に、位置ずれしたり脱落したりすることが防止される。また、請求項１又は２の考案と同様、サンダー（Ｓ）に対する位置ずれや、サンダー（Ｓ）からの脱落が防止される。
【００１５】
請求項４の考案によれば、請求項１乃至３の考案が奏する効果に加えて、以下の優れた効果を奏し得る。鏝板本体（２）の押し当て面（２ｂ）側の縁部にエッジが出ないようにしてあるので、作業中に鏝板本体（２）をコンクリートやモルタルに食い込ませてしまうアクシデントが防止される。
【００１６】
請求項５の考案によれば、請求項１乃至４の考案が奏するのと同様の効果を奏する振動鏝を提供することができる。
【図面の簡単な説明】
【００１７】
【図１】本考案の鏝板を示す斜視図。
【図２】振動鏝の断面図（図１のＡ−Ａ断面。一点鎖線はサンダーを示す。）。
【図３】鏝板の側面図（一点鎖線はサンダーを示す。）。
【考案を実施するための形態】
【００１８】
以下、本考案の実施形態に係る鏝板１について説明する。図１〜３に示す鏝板１は、木材表面等の研磨に用いる市販の電動式オービタルサンダー（Ｏｒｂｉｔａｌ  ｓａｎｄｅｒ／以下、単に「サンダー」と言う。）Ｓの振動板Ｖに装着されることにより、打設したコンクリートやモルタルの表面仕上げをする振動鏝を形成する。サンダーＳは、本体部Ｍの下側に支持される平板状の振動板Ｖがその板厚方向と直交する方向に高速振動する振動型サンダーであり、本来は研磨紙を取り付けた振動板Ｖを木材等に押し当てて使用するものである。しかし、本発明では、振動板Ｖに鏝板本体２を備える鏝板１を支持させて、作業者が本体部Ｍに設けられた把持部を持ち、打設したコンクリート等に鏝板本体２を押し当てて、その振動で内部のノロを表面側に浮かせながら表面仕上げを容易に行うために用いられる。なお、サンダーＳは、電力供給を受けるための電気コードを有してなる（図示省略）が、充電式バッテリーを搭載するものを使用しても良い。
【００１９】
鏝板１は、図１に示すように、概ね矩形板状の鏝板本体２と、上部が開口した平面視概ね矩形の箱状で鏝板本体２の上面２ａ側にネジで固定される収容枠体３と、収容枠体３の側壁３ａの左右両外側を挟むように取り付けられることにより鏝板本体２に連結される二つのコの字形状の拘束具４を備えてなる。鏝板１は、図２及び図３に示すように、サンダーＳの概ね矩形板状の振動板Ｖを収容枠体３に収容することで、振動板Ｖに対して相対動きを生じないように前後左右方向の位置決めが行われ、拘束具４でサンダーＳの本体部Ｂを抱えるように拘束することで、作業中にサンダーＳから容易に外れたりしないように装着される。鏝板本体２は、マグネシウム合金等の金属で形成されており、収容枠体３及び拘束具４も金属製であるが、所要の強度を満たす合成樹脂製としても良い。
【００２０】
収容枠体３は、図１及び図２に示すように側壁３ａ及び底壁３ｂの内側がゴム材（弾性材）５で覆われており、サンダーＳの振動板Ｖがガタなく鏝板１上の所定位置に収容されるように設定されている。拘束具４は、図１及び図２に示すようにコの字形状の両端が収容枠体３にネジ止めされている。その上部内側にゴム材（弾性材）６が取り付けられていることにより、サンダーＳの本体部Ｂの上面をしっかり押さえて拘束できるように設定されている。拘束具４は、両端を留めているネジを緩めると、前後方向に回動可能であり、これによりサンダーＳを鏝板１に対して着脱可能としている。また、拘束具４は、二つのＬ字形状部材４１をＩ字形状部材４２で連結してなるが、これはゴム材６の厚みが異なるＩ字形状部材に取り替えることで、締め具合を調整可能とし、大きさや形状の異なる複数種類のサンダーに適用可能とするものである。
【００２１】
収容枠体３は、装着されたサンダーＳの本体部Ｂとの間に相互に干渉しないための隙間が設けられており、振動板Ｖの振動を妨げないように構成されている。一方、拘束具４は、両端を収容枠体３に固定されてサンダーＳの本体部Ｂを抱えるように設けられており、振動板Ｖと本体部Ｂを一体的に拘束できるように構成されている。但し、拘束具４は、細い帯板状であり、所定の撓み性を有しており、また、本体部Ｂと接触しているのは、上部内側に設けられたブロック状のゴム材６のみで、本体部Ｂの側面との間に十分な隙間がある。そのため、サンダーＳを作動させると、その振動により、拘束具４は、図２に両矢印で示すように撓み変形し、振動板Ｖと本体部Ｂは、振動板Ｖの振動を許容する程度の相対動きが可能とされている。なお、ゴム材６も撓み変形可能であるため、相対動き量の確保に寄与する。
【００２２】
上記のとおり、鏝板１は、拘束具４の撓み変形により、振動板Ｖの振動による振動板Ｖと本体部Ｂの相対動きを許容する可動性を有しているため、サンダーＳを作動させると、鏝板本体２が振動板Ｖと共に振動し、これを打設したコンクリートやモルタルに押し当てることでその表面仕上げを行えるものである。なお、鏝板本体２は、コンクリートやモルタルへの押し当て面である下面２ｂが概ね平坦に形成されているが、図２に示すようにその内側から縁部２ｃに向かって持ち上げられるように丸められた傾斜を有することにより、作業中のチョットしたはずみで縁部２ｃのエッジを引っ掛けて鏝板本体２をコンクリートやモルタルに食い込ませてしまうことを防止している。
【００２３】
（上記実施形態の変形例）
上記実施形態では、鏝板１が装着されるサンダーＳの振動板Ｖの形状を、概ね矩形板状としたが、これに限らず、概ね三角形、概ね五角形等、その他の形状としても良い。鏝板本体２の形状についても概ね矩形板状としたが、これに限らず、概ね三角形、概ね五角形、その他の形状としても良い。上記実施形態では、拘束具４自体の撓み変形により振動板Ｖと本体部Ｂの相対動きを許容する可動性を備えるものとしたが、拘束具４が備えるゴム材６のボリュームを大きくすることによりその撓み変形量を確保して、これにより振動板Ｖと本体部Ｂの相対動きを許容する可動性を備えるようにしても良い。拘束具４自体の撓み変形とゴム材６の撓み変形を組み合わせても良い。
【００２４】
上記実施形態では、収容枠体３を側壁３ａ及び底壁３ｂを備える箱状のものとしたが、収容枠体は、振動板Ｖを一定の位置に収容し、前後左右方向に相対動きを生じないように位置決めを行えるものであれば、収容枠体と振動板の形状が一致している必要はなく、また、箱状に限らず、額縁状のものとしても良いし、側壁のみを備えるものとしても良い。更に収容枠体の全体が必ずしも一体的に形成されている必要はなく、複数に分割形成されており、鏝板本体２に固定されることにより振動板Ｖを収容可能な状態に形成されるものでも良い。収容枠体３は鏝板本体２にネジで固定されていたが、不意に外れたり、ずれ動いたりしなければ、他の固定方法を採用しても良い。鏝板本体２に対し一体的に形成することにより固定されていても良い。
【００２５】
上記実施形態では、拘束具４を二つ設けることとしたが、拘束具は一つにしても良いし、三つ以上にしても良い。拘束具４は、収容枠体３に固定されていたが、鏝板本体２に固定するようにしても良い。拘束具４は、ゴム材の厚みが異なるＩ字形状部材４２を取り変えることにより、締め具合を調整するとしたが、例えば拘束具をネジで締結される２以上の部材で形成して、ネジ挿通穴を長穴として締結位置をずらすことにより、締め具合を調整可能としても良い。拘束具とサンダーの本体部の間に介在するゴム材は、サンダーに固定しても良いし、あるいは何れにも固定せずに単に挟むだけにしても良い。また、拘束具４は、所要の強度を満たす金属又は合成樹脂で形成されるとしたが、これに代えて天然ゴム、合成ゴム等の柔軟性を有する素材で形成することとしても良い。拘束具がその柔軟性で変形することにより、振動板の振動を担保することができ、ネジを緩めたりしなくてもサンダーを着脱可能とすることができる。その他、本考案は、その要旨を変更しない範囲で種々の変更を加え得るものである。
【符号の説明】
【００２６】
１    鏝板
２    鏝板本体
３    収容枠体
４    拘束具
Ｓ    サンダー
【図１】
0003227278.tif 000003
【図２】
0003227278.tif 000004
【図３】
0003227278.tif 000005
【手続補正書】
【提出日】令和2年5月13日(2020.5.13)
【手続補正１】
【補正対象書類名】実用新案登録請求の範囲
【補正対象項目名】請求項１
【補正方法】変更
【補正の内容】
【請求項１】
打設したコンクリートやモルタルの表面に押し当てられる鏝板本体（２）と、
前記鏝板本体（２）に設けられており、サンダー（Ｓ）の振動板（Ｖ）を収容して位置
決めする収容枠体（３）と、
前記鏝板本体（２）に連結されてサンダー（Ｓ）の本体部（Ｂ）を抱えるように拘束する拘束具（４）と、を備えてなり、
前記拘束具（４）および／または前記拘束具（４）に取り付けられて本体部（Ｂ）を押さえて拘束する弾性材（６）が撓み変形することにより、前記振動板（Ｖ）の振動による前記振動板（Ｖ）と前記本体部（Ｂ）の相対動きを許容することを特徴とする鏝板。
【手続補正２】
【補正対象書類名】明細書
【補正対象項目名】０００７
【補正方法】変更
【補正の内容】
【０００７】
請求項１の考案は、打設したコンクリートやモルタルの表面に押し当てられる鏝板本体（２）と、前記鏝板本体（２）に設けられており、サンダー（Ｓ）の振動板（Ｖ）を収容して位置決めする収容枠体（３）と、前記鏝板本体（２）に連結されてサンダー（Ｓ）の本体部（Ｂ）を抱えるように拘束する拘束具（４）と、を備えてなり、
前記拘束具（４）および／または前記拘束具（４）に取り付けられて本体部（Ｂ）を押さえて拘束するゴム材（６）が撓み変形することにより、前記振動板（Ｖ）の振動による前記振動板（Ｖ）と前記本体部（Ｂ）の相対動きを許容することを特徴とする鏝板を提供する。